(57)【特許請求の範囲】
【請求項１】
複数の挿通孔を有する表面板と、
この表面板の各挿通孔の位置と対応して係止孔および非係止孔を有する取付板と、
前記表面板の各挿通孔を通じて前記取付板の係止孔および非係止孔にそれぞれ挿通され、取付板の係止孔に対しては着脱可能に係止されるとともに非係止孔に対しては係止されずに表面板に着脱可能に係止される係止部を有する複数のスイッチ体と
を具備していることを特徴とする商品選択装置。
【請求項２】
非係止孔は、スイッチ体が挿通される孔部と、この孔部の縁部に連通されてスイッチ体の係止部が挿通される溝部を有している
ことを特徴とする請求項１記載の商品選択装置。
【請求項３】
係止孔の数は非係止孔の数より少ない
ことを特徴とする請求項１または２記載の商品選択装置。
【請求項４】
表面板の周囲を取付板側に取り付ける取付枠を具備している
ことを特徴とする請求項１ないし３いずれか記載の商品選択装置。
【請求項５】
請求項１ないし４いずれか記載の商品選択装置を具備している
ことを特徴とする自動販売機。
【発明の詳細な説明】
【０００１】
【発明の属する技術分野】
本発明は、商品選択用の複数のスイッチ体を備えた商品選択装置および自動販売機に関する。
【０００２】
【従来の技術】
従来、例えば、飲料液をカップに注出して提供・販売するカップディスペンサやカップ式飲料自動販売機は、販売機本体の扉体の前面に商品（飲料）を選択する商品選択装置を備えている。
【０００３】
この商品選択装置では、扉体に設けられた取付板の表面側に例えばアクリル板などの透明な表面板（サインボード）が配置され、この表面板の裏面側（取付板側）に商品銘板などが取り付けられる複数の商品表示部が配列されるとともに、表面板の前面側に各商品表示部に対応して押ボタン式の複数のスイッチ体が配置されている。
【０００４】
表面板には各商品表示部に対応してスイッチ体が挿通される複数の挿通孔が形成されているとともに、取付板には各商品表示部に対応してスイッチ体が挿通される複数の係止孔が形成されている。スイッチ体は、表面板の挿通孔から取付板の係止孔に挿通されて取り付けられるもので、取付板の係止孔の裏面縁部に着脱可能に係止される係止部を有している。
【０００５】
そして、表面板は、取付板の表面側に配置する際に、表面板の周囲が取付枠によって取付板側に取り付けられるとともに、複数のスイッチ体を表面板および取付板を挿通して取り付ける際に、スイッチ体と取付板との間で表面板が挟み込まれ、表面板の取付板に対する浮き上がりが押さえられる。
【０００６】
【発明が解決しようとする課題】
ところで、各商品表示部に対してスイッチ体が少なくとも１個ずつ用いられるが、特にカップ式飲料自動販売機では、１つの商品表示部に対して複数用いられる場合があり、例えば、商品表示部がコーヒー飲料の場合、ブラック選択用、砂糖入り選択用、ミルク入り選択用、砂糖・ミルク入り選択用などにそれぞれスイッチ体が用いられ、このように多数のスイッチ体が用いられる商品表示部が複数配列されれば、全体として非常に多くのスイッチ体が用いられる。
【０００７】
そのため、自動販売機の前面の意匠を変更する場合、表面板の劣化などに伴って交換する場合、メンテナンスを行なう場合などに、表面板を取付板に対して着脱するが、表面板を外す際には、表面板を通じて取付板に係止されている全てのスイッチ体を１つずつ取り外す必要があり、また、表面板を取り付ける際にも、表面板を取付板の表面側に配置した後に、全てのスイッチ体を１つずつ取り付ける必要がある。したがって、表面板の取り外しおよび取り付けには、全てのスイッチ体を１つずつ取り外したり取り付けたりする手間のかかる作業を必要とし、表面板の取り外しおよび取り付けに長時間がかかる問題がある。
【０００８】
自動販売機の場合、このようなメンテナンスなどの作業に長時間がかかると、販売停止している時間が長くなるので、販売機会を失うことがあり、稼働効率が低下する問題が生じる。
【０００９】
本発明は、このような点に鑑みなされたもので、多数のスイッチ体を用いている場合でも、表面板の取り外しおよび取り付けを短時間で容易に行なえる商品選択装置および自動販売機を提供することを目的とする。
【００１０】
【課題を解決するための手段】
請求項１記載の商品選択装置は、複数の挿通孔を有する表面板と、この表面板の各挿通孔の位置と対応して係止孔および非係止孔を有する取付板と、前記表面板の各挿通孔を通じて前記取付板の係止孔および非係止孔にそれぞれ挿通され、取付板の係止孔に対しては着脱可能に係止されるとともに非係止孔に対しては係止されずに表面板に着脱可能に係止される係止部を有する複数のスイッチ体とを具備しているものである。
【００１１】
そして、スイッチ体を表面板の挿通孔を通じて取付板の係止孔および非係止孔にそれぞれ挿通することにより、スイッチ体が取付板の係止孔に対しては着脱可能に係止されるとともに非係止孔に対しては係止されずに表面板に着脱可能に係止されるので、係止孔に係止されるスイッチ体で表面板を取付板に保持するとともに、表面板の取外し時には、係止孔に係止されたスイッチ体のみを取り外せば、非係止孔に挿通されているスイッチ体を取り外さなくても、表面板を取付板から取り外すことが可能であり、かつ、表面板の取付時には、非係止孔に挿通されるスイッチ体を表面板に取り付けたままその表面板を取付板の表面側に配置して、係止孔に係止されるスイッチ体のみを取り付けるだけとすることも可能であり、したがって、多数のスイッチ体を用いている場合でも、表面板の取り外しおよび取り付けを短時間で容易に行なえる。
【００１２】
請求項２記載の商品選択装置は、請求項１記載の商品選択装置において、非係止孔は、スイッチ体が挿通される孔部と、この孔部の縁部に連通されてスイッチ体の係止部が挿通される溝部を有しているものである。
【００１３】
そして、非係止孔に、スイッチ体が挿通される孔部の縁部に溝部を連通して設けることにより、溝部によってスイッチ体の係止部が係止されないようにする。
【００１４】
請求項３記載の商品選択装置は、請求項１または２記載の商品選択装置において、係止孔の数は非係止孔の数より少ないものである。
【００１５】
そして、係止孔の数が非係止孔の数より少ないことにより、表面板の着脱時に係止孔に着脱されるスイッチ体の数が少なく、多数のスイッチ体を用いている場合でも、表面板の取り外しおよび取り付けを短時間で容易に行なえる。
【００１６】
請求項４記載の商品選択装置は、請求項１ないし３いずれか記載の商品選択装置において、表面板の周囲を取付板側に取り付ける取付枠を具備しているものである。
【００１７】
そして、表面板の周囲を取付板側に取り付ける取付枠を具備していることにより、係止孔に係止されるスイッチ体とともに、表面板を取付板側に確実に取り付ける。
【００１８】
請求項５記載の自動販売機は、請求項１ないし４いずれか記載の商品選択装置を具備しているものである。
【００１９】
そして、請求項１ないし４いずれか記載の商品選択装置を具備し、表面板の取り外しおよび取り付け作業を短時間で行なえるので、メンテナンス時などに販売停止している時間が短くなり、販売機会が増加し、稼働効率が向上する。
【００２０】
【発明の実施の形態】
以下、本発明の一実施の形態を図面を参照して説明する。
【００２１】
図４に自動販売機の正面図を示し、この自動販売機は、飲料液をカップに注出して販売するカップ式飲料自動販売機を示すもので、販売機本体11を有し、この販売機本体11の前面に左右一対の扉体12，13が両開きするように開閉可能に取り付けられている。
【００２２】
各扉体12，13の上部には商品選択装置14，15がそれぞれ配設されており、例えば、右側の商品選択装置14がホット飲料の選択用とされるとともに、左側の商品選択装置15がコールド飲料の選択用とされている。各商品選択装置14，15は、飲料の種類を表示する複数の商品表示部16を有し、これら商品表示部16が縦横に複数個ずつ配列され、各商品表示部16に下側にスイッチ体17が配置されている。各商品表示部16に下側に配置されるスイッチ体17の数は、飲料の種類に応じて１つから４つまであり、例えばコーヒー飲料の場合には、ブラック選択用、砂糖入り選択用、ミルク入り選択用、砂糖・ミルク入り選択用に４つが用いられる。
【００２３】
右側の扉体12の中段高さ位置には硬貨投入口18および紙幣投入口19が配設され、下部位置には硬貨返却口20が配設されている。
【００２４】
左側の扉体13の中段高さ位置には飲料が注出されたカップを取出可能とする販売口21が配設されている。
【００２５】
次に、図３は扉体12および商品選択装置14の分解状態の斜視図を示し、扉体12は、縦長の長方形枠状で前後に開口されたフレーム31を有し、このフレーム31の内側には、中段部分に横継ぎ部材32が配設され、この横継ぎ部材32より上側に商品選択装置14が配設される開口部33が形成され、下側に図示しない貨幣処理装置が配設される開口部34が形成されている。各開口部33，34の内側縁部には取付レール35が取り付けられている。フレーム31の周囲の４辺には取付枠36〜38が取り付けられている。
【００２６】
商品選択装置14は、取付板41を有し、この取付板41がフレーム31の開口部33に嵌合されるとともに、複数のねじ42によって取付レール35に固着されている。取付板41は、例えば金属板にて形成され、各商品表示部16に対応して複数の窓孔43が配列形成され、この窓孔43の後方から飲料の種類を表示した図示しないフレーバーカードが交換可能に装着されるようになっている。各窓孔43の下側には、各商品表示部16に対応して配置される各スイッチ体17の位置に対応して、そのスイッチ体17が挿通される孔部（後述する係止孔および非係止孔）44が形成されている。
【００２７】
取付板41の表面（前面）側には、表面板（サインボードまたは電照板）45が配置され、この表面板45の周囲（上側、左右側）が取付枠36〜38によって取付板41およびフレーム31に取り付けられている。表面板45の下側は図示しない取付枠で取り付けられる。表面板45は、例えばアクリル板にて形成され、透明またはスモーク系の有色で光透過性を有し、商品表示部16のフレーバーカードを透視可能としている。表面板45には、各商品表示部16に対応して配置される各スイッチ体17の位置に対応して、そのスイッチ体17が挿通される挿通孔46が形成されている。
【００２８】
また、取付板41の後方には図示しない電照用のランプが配置され、このランプからの光がフレーバーカードを透過して、フレーバーカードに表示された内容が表面板45を通じて透視可能になっている。
【００２９】
なお、左側の扉体13および商品選択装置15についても、右側の扉体12および商品選択装置14と同様に構成されている。
【００３０】
次に、図１に商品選択装置の一部の断面図、図２に商品選択装置の一部の分解状態の斜視図を示す。スイッチ体17は、前端側に表面板45の挿通孔46より径大な頭部51を有するとともに、後端側に頭部51の後面から後方に突出される径小な軸部52を有している。頭部51の前面には押ボタン53が配設され、この押ボタン53の後側には、押ボタン53で押動されてオンする図示しないスイッチ、および貨幣が投入されて飲料の販売が可能な場合に点灯する販売可能ランプなどが内蔵されている。押ボタン53は、光透過性を有していて、販売可能ランプなどの点灯を前方から目視可能になっている。
【００３１】
軸部52は、表面板45の挿通孔46および取付板41の孔部44に挿通可能な径に形成され、周面の対称位置から一対の係止部54が切り起こし形成されている。この各係止部54は、軸部52の後端側を支点として前端側（頭部51側）が外径方向に突出するように斜めに形成され、その先端が挿通孔46および孔部44の径より広い間隔に弾性的に拡開するようになっている。各係止部54の先端には、表面板45の裏面側に係止可能とする第１の爪部55、取付板41の裏面側に係止可能とする段状の第２の爪部56を有し、表面板45および取付板41のいずれにも係止可能になっている。
【００３２】
軸部52の後端には、販売制御を行なう制御装置に電気コードを介して接続される図示しないコネクタが配設されている。
【００３３】
また、表面板45の挿通孔46は、略円形に形成され、その径は、スイッチ体17の軸部52が挿通可能とするとともに一対の係止部54の先端間が狭まるように弾性変形しながら挿通可能に形成されている。
【００３４】
また、取付板41に形成される孔部44は、略円形に形成されたものと、略円形の孔部44の対称位置に一対の溝部57が連通して形成されたものとを有し、略円形のものは係止孔58として構成され、略円形の孔部44の対称位置に一対の溝部57が連通して形成されたものは非係止孔59として構成されている。
【００３５】
係止孔58は、略円形に形成され、その径は、スイッチ体17の軸部52が挿通可能とするとともに一対の係止部54の先端間が狭まるように弾性変形しながら挿通可能に形成されている。
【００３６】
非係止孔59は、孔部44にスイッチ体17の軸部52が挿通可能とするとともに、各溝部57に各係止部54が挿通可能とし、各係止部54が取付板41に係止されないようになっている。
【００３７】
これら係止孔58および非係止孔59は、取付板41に形成される複数の孔部44のうち、係止孔58の数より非係止孔59の数が多く、大多数が非係止孔59であるとともに一部の少数が係止孔58である。係止孔58の配置は、表面板45の浮き上がりが生じやすい取付板41の中央部分に配置されたり、所定の間隔をあけて配置される。
【００３８】
なお、取付板41に全てのスイッチ体17が挿通される孔部44（係止孔58および非係止孔59）を設けるのは、取付板41の後方から電照用のランプで照明された場合に、フレーバーカードの部分のみから光が透過するように、それ以外のスイッチ体17の部分から光が透過するのを防止するためである。また、非係止孔59の溝部57は、スイッチ体17の頭部51の直径以内に治まる大きさに形成されており、この溝部57からの光漏れを低減するように構成されている。
【００３９】
そして、商品選択装置14，15の組立状態では、表面板45の周囲が各取付枠36〜38で取付板41側に保持され、各スイッチ体17が表面板45および取付板41に挿通されて取り付けられている。
【００４０】
表面板45の挿通孔46を通じて取付板41の係止孔58に挿通されたスイッチ体17は、各係止部54の第２の爪部56が係止孔58の裏面縁部に引っ掛かって係止されることにより、スイッチ体17の頭部51と取付板41との間で表面板45を挟持し、表面板45の取付板41に対する浮き上がりを押さえる。
【００４１】
表面板45の挿通孔46を通じて取付板41の非係止孔59に挿通されたスイッチ体17は、各係止部54が非係止孔59の各溝部57に挿通されて取付板41に引っ掛かって係止されることがなく、係止部54の第１の爪部55が表面板45の挿通孔46の裏面縁部に引っ掛かって係止され、スイッチ体17が表面板45のみに保持されている。
【００４２】
取付板41の後面側において、各スイッチ体17には制御装置からの電気コードが接続されている。
【００４３】
また、自動販売機の前面の意匠を変更する場合、表面板45の劣化などに伴って交換する場合、メンテナンスを行なう場合などには、表面板45を取付板41に対して着脱する。
【００４４】
表面板45を外す際には、全てのスイッチ体17に接続されている電気コードを外すとともに、取付板41の係止孔58に係止されているスイッチ体17のみを取付板41および表面板45側から外す。スイッチ体17を外すには、一対の係止部54の先端の間隔を狭めて、第２の爪部56を係止孔58の内側に入り込むように弾性変形させながら、スイッチ体17を前方の表面板45側に移動させることにより、表面板45側からスイッチ体17を抜き外す。この取付板41の係止孔58に係止されているスイッチ体17は、多数用いられるスイッチ体17の一部であって、数が少ないので、短時間で容易に作業を完了させることができる。
【００４５】
表面板45の周囲を保持している取付枠36〜38を扉体12，13から外す。このとき、表面板45の保持が解除されるが、表面板45に残っている多数のスイッチ体17が取付板41の非係止孔59に挿通されているので、これら各スイッチ体17が各非係止孔59の縁部に引っ掛かって表面板45が取付板41に対して自然に外れるのを防止できる。なお、スイッチ体17を外す前に、取付枠36〜38を外してもよい。
【００４６】
この状態で、表面板45を前方へ移動させ、取付板41の非係止孔59に挿通されているスイッチ体17を抜き外すことにより、表面板45を取付板41から外すことができる。
【００４７】
そして、表面板45のみを交換し、スイッチ体17は再使用する場合には、取り外した表面板45から全てのスイッチ体17を取り外す。このとき、表面板45が取付板41に取り付けられた状態のままスイッチ体17を取り外すよりも、取り外した状態の表面板45からスイッチ体17を取り外す方が、取り外しの作業性がよく、短時間で容易に作業できる。
【００４８】
また、表面板45とともに全てのスイッチ体17も交換する場合、メンテナンスの完了後に表面板45およびスイッチ体17をそのままの状態で元に戻す場合には、表面板45を取付板41から取り外すことで取外し作業は完了する。
【００４９】
一方、表面板45を取り付ける際には、取付板41の非係止孔59に挿通されるスイッチ体17については、表面板45の挿通孔46に挿通係止させて予め取り付ける。このとき、表面板45を取付板41に取り付けた状態でスイッチ体17を取り付けるよりも、取り外した状態の表面板45にスイッチ体17を取り付ける方が、取り付けの作業性がよく、短時間で容易に作業できる。
【００５０】
表面板45に所定のスイッチ体17を取り付けた後、この表面板45を取付板41の表面側に配置し、各スイッチ体17を取付板41の非係止孔59に挿通させる。この状態で、表面板45に取り付けられた各スイッチ体17が取付板41の非係止孔59に挿通されるので、これら各スイッチ体17が各非係止孔59の縁部に引っ掛かり、表面板45を取付板41に対して仮止めできる。
【００５１】
残りのスイッチ体17を、表面板45の挿通孔46を通じて取付板41の係止孔58に挿通係止させて取り付ける。この取付板41の係止孔58に係止させるスイッチ体17は、多数用いられるスイッチ体17の一部であって、数が少ないので、短時間で容易に作業を完了させることができる。
【００５２】
取付枠36〜38を扉体12，13に取り付け、表面板45の周囲を保持する。なお、取付板41の係止孔58にスイッチ体17を係止させる前に、取付枠36〜38を取り付けてもよい。
【００５３】
そして、取付板41の後面側から全てのスイッチ体17に対して制御装置からの電気コードを接続する。
【００５４】
以上のように、スイッチ体17を表面板45の挿通孔46を通じて取付板41の係止孔58および非係止孔59にそれぞれ挿通することにより、スイッチ体17が取付板41の係止孔58に対しては着脱可能に係止されるとともに非係止孔59に対しては係止されずに表面板45に着脱可能に係止されるので、係止孔58に係止されるスイッチ体17で表面板45を取付板41に保持できるとともに、表面板45の取外し時には、係止孔58に係止されたスイッチ体17のみを取り外せば、非係止孔59に挿通されているスイッチ体17を取り外さなくても、表面板45を取付板41から取り外すことができ、かつ、表面板45の取付時には、非係止孔59に挿通されるスイッチ体17を表面板45に取り付けたままその表面板45を取付板41の表面側に配置して、係止孔58に係止されるスイッチ体17のみを取り付けるだけとすることもでき、したがって、多数のスイッチ体17を用いている場合でも、表面板45の取り外しおよび取り付けを短時間で容易に行なうことができる。
【００５５】
また、係止孔58の数は非係止孔59の数より少ないので、表面板45の着脱時に係止孔58に着脱されるスイッチ体17の数が少なく、多数のスイッチ体17を用いている場合でも、表面板45の取り外しおよび取り付けを短時間で容易に行なうことができる。
【００５６】
また、表面板45の取り外しおよび取り付け作業を短時間で行なえるので、メンテナンス時などに販売停止している時間が短くなり、販売機会が増加し、稼働効率を向上できる。
【００５７】
なお、非係止孔59は、スイッチ体17が挿通される孔部44の縁部に溝部57を連通して設けることで、スイッチ体17の係止部54が係止されないようにできるが、非係止孔59の全体の径を係止部54が係止されないような大径に形成してもよく、また複数のスイッチ体17が一緒に挿通されるように共通に形成してもよく、同様の作用効果を得ることができる。
【００５８】
【発明の効果】
請求項１記載の商品選択装置によれば、スイッチ体を表面板の挿通孔を通じて取付板の係止孔および非係止孔にそれぞれ挿通することにより、スイッチ体が取付板の係止孔に対しては着脱可能に係止されるとともに非係止孔に対しては係止されずに表面板に着脱可能に係止されるので、係止孔に係止されるスイッチ体で表面板を取付板に保持できるとともに、表面板の取外し時には、係止孔に係止されたスイッチ体のみを取り外せば、非係止孔に挿通されているスイッチ体を取り外さなくても、表面板を取付板から取り外すことができ、かつ、表面板の取付時には、非係止孔に挿通されるスイッチ体を表面板に取り付けたままその表面板を取付板の表面側に配置して、係止孔に係止されるスイッチ体のみを取り付けるだけとすることもでき、したがって、多数のスイッチ体を用いている場合でも、表面板の取り外しおよび取り付けを短時間で容易に行なうことができる。
【００５９】
請求項２記載の商品選択装置によれば、請求項１記載の商品選択装置の効果に加えて、非係止孔には、スイッチ体が挿通される孔部の縁部に溝部を連通して設けるので、溝部によりスイッチ体の係止部が係止されないようにできる。
【００６０】
請求項３記載の商品選択装置によれば、請求項１または２記載の商品選択装置の効果に加えて、係止孔の数は非係止孔の数より少ないので、表面板の着脱時に係止孔に着脱されるスイッチ体の数が少なく、多数のスイッチ体を用いている場合でも、表面板の取り外しおよび取り付けを短時間で容易に行なうことができる。
【００６１】
請求項４記載の商品選択装置によれば、請求項１ないし３いずれか記載の商品選択装置の効果に加えて、表面板の周囲を取付板側に取り付ける取付枠を具備しているので、係止孔に係止されるスイッチ体とともに、表面板を取付板側に確実に取り付けることができる。
【００６２】
請求項５記載の自動販売機によれば、請求項１ないし４いずれか記載の商品選択装置を具備し、表面板の取り外しおよび取り付け作業を短時間で行なえるので、メンテナンス時などに販売停止している時間が短くなり、販売機会が増加し、稼働効率を向上できる。
【図面の簡単な説明】
【図１】本発明の一実施の形態を示す商品選択装置の一部の断面図である。
【図２】同上商品選択装置の一部の分解状態の斜視図である。
【図３】同上扉体および商品選択装置の分解状態の斜視図である。
【図４】同上自動販売機の正面図である。
【符号の説明】
14，15    商品選択装置
17    スイッチ体
36〜38    取付枠
41    取付板
44    孔部
45    表面板
46    挿通孔
54    係止部
57    溝部
58    係止孔
59    非係止孔
【図１】
0003877257.tif 000002
【図２】
0003877257.tif 000003
【図３】
0003877257.tif 000004
【図４】
0003877257.tif 000005